(57)【要約】【課題】収納部が狭くならず、大きな表示装置を取り付けできるミラーキャビネットを提供する。【解決手段】棚板６ｃを有する収納部Ｓ３の前面に開閉可能に鏡４ｂが設けられたミラーキャビネット２において、収納部Ｓ３の前面側の棚板６ｃの上方に設けられた落下防止バー７ｃ（あるいは落下防止板９）に表示装置１０を取り付けるとともに、この表示装置１０の前方に位置する鏡４ｂの一部を透光部４４として構成する。【選択図】図２
2008109962.tif 000002
【特許請求の範囲】
【請求項１】
棚板を有する収納部の前面に開閉可能に鏡が設けられたミラーキャビネットにおいて、前記収納部の前面側の前記棚板の上方に設けられた部材に表示装置を取り付けるとともに、該表示装置の前方に位置する前記鏡の一部を透光部としたことを特徴とするミラーキャビネット。
【発明の詳細な説明】
【技術分野】
【０００１】
本発明は、洗面室等に設置されるミラーキャビネットに関するものである。
【背景技術】
【０００２】
従来、特許文献１に開示されているように、サイドミラーまたはセンターミラーの少なくとも一方の一部に透光部を設け、この透光部の裏側に照明灯を設けてなるミラーキャビネットが存在する。
【特許文献１】特開平７−８３４２号公報
【発明の開示】
【発明が解決しようとする課題】
【０００３】
上記特許文献１に開示されているようなミラーキャビネットでは、ミラーの裏側に形成されている収納部内に照明灯を配置させているため、収納部が狭くなってしまうという問題点があった。
【課題を解決するための手段】
【０００４】
本発明は上記従来の問題点に鑑み案出したものであって、収納部が狭くなることなく、大きな表示装置を取り付けできるミラーキャビネットを提供するものであり、その請求項１は、棚板を有する収納部の前面に開閉可能に鏡が設けられたミラーキャビネットにおいて、前記収納部の前面側の前記棚板の上方に設けられた部材に表示装置を取り付けるとともに、該表示装置の前方に位置する前記鏡の一部を透光部としたことである。
【発明の効果】
【０００５】
本発明は、棚板を有する収納部の前面に開閉可能に鏡が設けられたミラーキャビネットにおいて、前記収納部の前面側の前記棚板の上方に設けられた部材に表示装置を取り付けるとともに、該表示装置の前方に位置する前記鏡の一部を透光部としたことにより、表示装置は収納部の前面側の部材に取り付けられているため、表示装置を取り付けても収納部が狭くなることがなく、また表示装置の上下寸法等を大きくすることができ、大きな表示装置を設けることができ、また、この表示装置は棚板の前面側に立ち上がるために収納部内に収納される収納物の落下を防止する役目も果たすことができるものとなる。
【実施例】
【０００６】
以下、本発明の実施例を図面に基づいて説明する。
図１は、１枚のサイド鏡を取り外した状態の洗面化粧台の斜視構成図であり、洗面化粧台は、洗面器１の上部にミラーキャビネット２が設けられて構成されており、このミラーキャビネット２は、その上端に水平状に照明ランプ３が横設され、照明ランプ３の下方に、３枚の主鏡４ａとサイド鏡４ｂ，４ｂが設けられる。
各鏡４ａ，４ｂ，４ｂは前方側へ開閉可能であり、各鏡４ａ，４ｂ，４ｂの裏側には棚枠５が設けられており、この棚枠５内には、上下方向に複数段の棚板６ａ，６ｂ，６ｃが略水平にそれぞれ設けられ、各棚板６ａ，６ｂ，６ｃ上面の空間がそれぞれ収納部Ｓ１，Ｓ２，Ｓ３となっており、この各収納部Ｓ１，Ｓ２，Ｓ３内に化粧水１１等を収納させることができ、収納物が前面側に落下しないように、各棚板６ａ，６ｂ，６ｃの前面側の上方位置には、アルミパイプ等で構成された落下防止バー７ａ，７ｂ，７ｃが水平にそれぞれ各収納部Ｓ１，Ｓ２，Ｓ３に設けられている。
【０００７】
なお、図２は、ミラーキャビネット２の下部部位の縦断面拡大構成図であり、ミラーキャビネット２を構成する棚枠５は、真空成形されて一体状に背板５ａと最下段の棚板６ｃが形成されており、棚板６ｃの下方には、配線を通すことのできる配線空間Ｐが一体形成されている。また、棚枠５の背板５ａの裏側は、木製または樹脂製の補強板８で補強されている。
【０００８】
なお、棚板６ｃ上の空間は収納部Ｓ３となっており、この収納部Ｓ３内にボトル状の化粧水１１等を収納しておくことができ、この化粧水１１が前面側へ落下するのを防ぐために落下防止バー７ｃが横設されているが、落下防水バー７ｃに代えて、後付けで棚板６ｃの前端側に落下防止板９を立設させる場合もあり、落下防止板９あるいは落下防止バー７ｃで化粧水１１の前面側への落下が防がれるように構成されている。
【０００９】
本例では、この落下防止板９の前面に貼着状にして、あるいは落下防止バー７ｃの前面側に固定状に表示装置１０が取付固定されており、この表示装置１０は、自ら光を放出して、光により天気予報や文字ニュースあるいは時間等を表示できるように構成したものであり、この表示装置１０には、前記配線空間Ｐ内に通される図示しない電線が接続され、電線の他端には図示しない制御回路が接続されるものである。
また、表示装置１０の前面側に開閉可能に設けられるサイド鏡４ｂは、前面側が透明なガラス４１で構成され、このガラス４１の裏側にハーフミラー膜４２が形成されており、更にその裏側にマスキングフィルム４３が貼着されて３重構造に形成されたもので、表示装置１０の前方に位置する部分は、マスキングフィルム４３がくり抜かれて透光部４４が形成されている。
【００１０】
なお、ハーフミラー膜４２は、ハーフミラーフィルムを貼着するか、あるいは、銀膜を蒸着させハーフミラー処理して形成されるものであり、また、マスキングフィルム４３は、ガラス４１が割れた場合の飛散防止用の飛散防止フィルムを兼用するもので構成されている。
このような構造においては、表示装置１０からの光がサイド鏡４ｂの透光部４４を通過して、鏡の前側に立つ人に天気予報や文字ニュースを良好に表示することができ、ミラーキャビネット２の前に立ち化粧等を行う際に、この表示装置１０により表示される情報を良好に得ることができるものとなる。
【００１１】
なお、従来において、棚枠５の配線空間Ｐの前面側の棚面５ｂ前面に表示装置を設ける構成が考えられていたが、棚面５ｂの上下寸法は短いために極めて小さい表示装置しか設置することができなかった。しかし本例では、棚板６ｃの落下防止板９あるいは落下防止バー７ｃの前面に表示装置１０を取り付ける構成であるため、表示装置１０の上下寸法を大なものとすることができ、大きな表示装置１０を良好に設置することができるものとなり、この表示装置１０は化粧水１１等の収納物の落下防止機能も果たすことができ、しかも表示装置１０は収納部Ｓ３内には設けられていないために、収納部Ｓ３を狭くすることもない。
【００１２】
なお、本例では、最下段の収納部Ｓ３の棚板６ｃの前面に表示装置１０を取り付けた場合を例示しているが、２段目の棚板６ｂの前面上方の落下防止バー７ｂにこのような表示装置１０を取り付けても良く、更には最上段の棚板６ａの前面上方の落下防止バー７ａにこのような表示装置１０を取り付けることもできる。
なお、各棚板６ａ，６ｂ，６ｃの前面全てに表示装置１０，１０，１０を取り付けて構成することもでき、表示装置１０，１０，１０の前方側の鏡には、それぞれ表示装置１０と整合する位置に透光部４４を形成させておくことができる。
【００１３】
なお、本例では、サイド鏡４ｂの裏側の収納部の前面に表示装置１０を設置した場合を例示しているが、主鏡４ａの裏側の収納部の前面に表示装置１０を設置して構成しても良い。
なお、本例では、鏡４ａ，４ｂ，４ｂは、ハーフミラー膜４２とマスキングフィルム４３で３重構造にしたものを例示しているが、透明ガラス４１の裏側に１００％の銀膜を蒸着させ、銀膜の一部を抜いて透光部４４を形成させた鏡であっても良く、このような鏡の場合は、マスキングフィルム４３は不要なものとなる。
【００１４】
次に、図３の要部縦断面構成図で示すものは変更例であり、更に大画面の表示装置１０を取り付けた場合を例示するものであり、この図３の表示装置１０は、外からの光を反射して情報を表示することのできる、例えば液晶，電子ペーパー等で構成されたものである。
図３の表示装置１０は、上端が落下防止バー７ｃの位置まで延びて枠面５ｂ，落下防止板９の前面に取付固定されたものであり、上下寸法が大な大画面のもので構成されている。
なお、棚枠５側の他の構成は図２のものと同一であり、同一部材については同一符号を付して説明を省略する。
なお、表示装置１０の前面側の鏡４ｂの位置には透光部４４が形成されており、この透光部４４を通過した光を表示装置１０で反射させて、良好に表示装置１０の情報を鏡の前に立つ人に伝えることができるものである。
【００１５】
図３のサイド鏡４ｂは、透明ガラス４１の透光部４４を除く裏面に、ハーフミラー膜４２が形成され、その裏側にマスキングフィルム４３が貼着された３重構造のものである。なお、このサイド鏡４ｂは、マスキングフィルム４３を省略して、透明ガラス４１の透光部４４を除く裏面に１００％の銀膜を蒸着させた２重構造のものであっても良い。
【図面の簡単な説明】
【００１６】
【図１】洗面化粧台の斜視構成図である。
【図２】図１におけるミラーキャビネットの下端側の縦断面拡大構成図である。
【図３】変更例を示す図２に対応させたミラーキャビネットの下端側の縦断面拡大構成図である。
【符号の説明】
【００１７】
２  ミラーキャビネット
４ａ  主鏡
４ｂ  サイド鏡
５  棚枠
５ｂ  枠面
６ａ，６ｂ，６ｃ  棚板
７ａ，７ｂ，７ｃ  落下防止バー
９  落下防止板
４１  ガラス
４２  ハーフミラー膜
４３  マスキングフィルム
４４  透光部
Ｐ  配線空間
Ｓ１，Ｓ２，Ｓ３  収納部
【図１】
2008109962.tif 000003
【図２】
2008109962.tif 000004
【図３】
2008109962.tif 000005